(57)【要約】【課題】、アナログ方式の子局とディジタル方式の子局に対して、ほぼ同時に送信を行うことが可能な文字情報伝送装置を提供する。【解決手段】入力部１１０から入力された文字情報に応じたＤＴＭＦトーン信号をＤＴＭＦトーン生成部１２０にて生成する。そして、アナログ無線通信を行う子局２００に対しては、上記ＤＴＭＦトーン信号をアナログ無線機１５０により無線送信し、一方、ディジタル無線通信を行う子局３００に対しては、ＤＴＭＦトーン信号をＡ／Ｄ変換部１３０によりディジタルデータに変換した後、アナログ無線機１５０により無線送信するようにしたものである。【選択図】    図１
2004312258.tif 000002
【特許請求の範囲】
【請求項１】
アナログ変調された無線信号を受信するアナログ無線機と、ディジタル変調された無線信号を受信するディジタル無線機とに、それぞれ文字情報を無線送信する文字情報伝送装置において、
文字情報の入力を受け付ける入力手段と、
この入力手段にて受け付けた文字情報に応じたトーン信号を生成するトーン信号生成手段と、
このトーン信号をアナログ変調により前記アナログ無線機に送信するアナログ無線通信手段と、
前記トーン信号をディジタルデータに変換するディジタル変換手段と、
このディジタル変換手段により得られるディジタルデータをディジタル変調により前記ディジタル無線機に送信するディジタル無線通信手段とを具備することを特徴とする文字情報伝送装置。
【請求項２】
前記トーン信号生成手段は、前記入力手段にて受け付けた文字情報に応じたＤＴＭＦトーン信号を生成することを特徴とする請求項１に記載の文字情報伝送装置。
【請求項３】
親局からアナログ変調された無線信号により第１の子局に文字情報を伝送するとともに、前記親局からディジタル変調された無線信号により第２の子局に文字情報を伝送する文字情報伝送システムにおいて、
前記親局は、
文字情報の入力を受け付ける入力手段と、
この入力手段にて受け付けた文字情報に応じたトーン信号を生成するトーン信号生成手段と、
このトーン信号をアナログ変調により前記アナログ無線機に送信するアナログ無線通信手段と、
前記トーン信号をディジタルデータに変換するディジタル変換手段と、
このディジタル変換手段により得られるディジタルデータをディジタル変調により前記ディジタル無線機に送信するディジタル無線通信手段とを備え、
前記第１の子局は、
前記アナログ無線通信手段から送信された無線信号を受信して前記文字情報を得るアナログ無線信号受信手段と、
このアナログ無線信号受信手段が得た文字情報を視覚的に表示する表示手段とを備え、
前記第２の子局は、
前記ディジタル無線通信手段から送信された無線信号を受信して前記文字情報を得るディジタル無線信号受信手段と、
このディジタル無線信号受信手段が得た文字情報を視覚的に表示する表示手段とを備えることを特徴とする文字情報伝送システム。
【請求項４】
前記トーン信号生成手段は、前記入力手段にて受け付けた文字情報に応じたＤＴＭＦトーン信号を生成することを特徴とする請求項３に記載の文字情報伝送システム。
【発明の詳細な説明】
【０００１】
【発明の属する技術分野】
この発明は、例えば自治体の防災行政無線システムで用いられる文字情報伝送装置に関する。
【０００２】
【従来の技術】
周知のように、自治体の防災行政無線システムは、例えば災害対策本部となる市町村役場に親局が設置され、子局が避難所となる学校や図書館、公民館などの公共施設や一般家庭や企業に設置され、その同報機能により親局から子局に文字情報が伝達されることで市民に情報が伝達される。
【０００３】
ところで近時、防災行政無線システムは、親局と子局との間の無線通信に、従来のアナログ方式に加えてディジタル方式を採用するようになっており、これにより、周波数の利用効率や通信品質が高められている。
【０００４】
このため、親局は、すでに普及しているアナログ方式の子局と、新規に導入されるディジタル方式の子局の両方に対応する必要がある。このために、送信する文字データから、アナログ方式用のアナログ信号と、ディジタル方式用のディジタル信号とを順次生成する構成となっている。
【０００５】
しかしながら、上述したようなアナログ方式とディジタル方式の信号を順次生成する方式では、２つの方式の信号を同時に送信することができないという問題がある。
【０００６】
【発明が解決しようとする課題】
従来では、アナログ方式の子局とディジタル方式の子局に対応するために、２つの方式の信号を順次生成しているが、この方式では、２つの方式の信号を同時に送信することができないという問題がある。
【０００７】
この発明は上記の問題を解決すべくなされたもので、アナログ方式の子局とディジタル方式の子局に対して、ほぼ同時に送信を行うことが可能な文字情報伝送装置および文字情報伝送システムを提供することを目的とする。
【０００８】
【課題を解決するための手段】
上記の目的を達成するために、請求項１に係わる本発明は、アナログ変調された無線信号を受信するアナログ無線機と、ディジタル変調された無線信号を受信するディジタル無線機とに、それぞれ文字情報を無線送信する文字情報伝送装置において、文字情報の入力を受け付ける入力手段と、この入力手段にて受け付けた文字情報に応じたトーン信号を生成するトーン信号生成手段と、このトーン信号をアナログ変調によりアナログ無線機に送信するアナログ無線通信手段と、トーン信号をディジタルデータに変換するディジタル変換手段と、このディジタル変換手段により得られるディジタルデータをディジタル変調によりディジタル無線機に送信するディジタル無線通信手段とを具備して構成するようにした。
【０００９】
また、請求項３に係わる本発明は、親局からアナログ変調された無線信号により第１の子局に文字情報を伝送するとともに、親局からディジタル変調された無線信号により第２の子局に文字情報を伝送する文字情報伝送システムにおいて、親局は、文字情報の入力を受け付ける入力手段と、この入力手段にて受け付けた文字情報に応じたトーン信号を生成するトーン信号生成手段と、このトーン信号をアナログ変調によりアナログ無線機に送信するアナログ無線通信手段と、トーン信号をディジタルデータに変換するディジタル変換手段と、このディジタル変換手段により得られるディジタルデータをディジタル変調によりディジタル無線機に送信するディジタル無線通信手段とを備え、第１の子局は、アナログ無線通信手段から送信された無線信号を受信して文字情報を得るアナログ無線信号受信手段と、このアナログ無線信号受信手段が得た文字情報を視覚的に表示する表示手段とを備え、第２の子局は、ディジタル無線通信手段から送信された無線信号を受信して文字情報を得るディジタル無線信号受信手段と、このディジタル無線信号受信手段が得た文字情報を視覚的に表示する表示手段とを具備して構成するようにした。
【００１０】
上記構成の文字情報伝送装置および文字情報伝送システムでは、文字情報に応じたトーン信号を生成し、これをアナログ変調して無線送信するとともに、上記トーン信号をディジタルデータに変換し、これをディジタル変調して無線送信するようにしている。
【００１１】
したがって、上記構成の文字情報伝送装置および文字情報伝送システムによれば、アナログ無線送信もディジタル無線送信もトーン信号に基づいて行えるので、アナログ方式の子局とディジタル方式の子局に対して、ほぼ同時に送信を行うことができる。
【００１２】
【発明の実施の形態】
以下、図面を参照して、この発明の一実施形態について説明する。
図１は、この発明の一実施形態に係わる防災行政無線システムの構成を示すものであって、市町村役場などに設置される親局１００と、避難所となる学校や図書館、公民館などに設置される子局２００，３００とを備える。
【００１３】
親局１００は、入力部１１０と、ＤＴＭＦトーン生成部１２０と、Ａ／Ｄ変換部１３０と、ディジタル無線機１４０と、アナログ無線機１５０とを備える。
入力部１１０は、例えば複数のキースイッチを備えたキーボードなどの入力装置であって、オペレータの操作により、文字情報の入力を受け付け、この受け付けた文字情報をＪＩＳコードなどの所定のコードデータに変換し、ＤＴＭＦトーン生成部１２０に出力する。
【００１４】
ＤＴＭＦトーン生成部１２０は、上記入力部１１０から入力されるコードデータに基づいて、ＤＴＭＦトーン信号を生成し、これをＡ／Ｄ変換部１３０およびアナログ無線機１５０に出力する。
【００１５】
Ａ／Ｄ変換部１３０は、ＤＴＭＦトーン生成部１２０から入力されるＤＴＭＦトーン信号を、ディジタルデータに変換し、このディジタルデータをディジタル無線機１４０に出力する。
【００１６】
ディジタル無線機１４０は、Ａ／Ｄ変換部１３０から入力されるディジタルデータをディジタル変調によるディジタル無線通信で子局３００に向けて送信する。
アナログ無線機１５０は、ＤＴＭＦトーン生成部１２０から入力されるＤＴＭＦトーン信号をアナログ変調によるアナログ無線通信で子局２００に向けて送信する。
【００１７】
また、子局２００は、親局１００とアナログ方式の無線通信に対応するものであって、アナログ無線通信を行うアナログ無線機２１０と、これにより受信した文字情報を表示可能な表示装置２２０とを備える。
【００１８】
そして、子局３００は、親局１００とディジタル方式の無線通信に対応するものであって、ディジタル無線通信を行うディジタル無線機３１０と、これにより受信した文字情報を表示可能な表示装置３２０とを備える。
【００１９】
次に、上記構成の防災行政無線システムの動作について説明する。
オペレータが入力部１１０を操作して、所望の文字列を入力すると、この文字列は入力部１１０にてＪＩＳコードなどの所定のコードデータに変換され、ＤＴＭＦトーン生成部１２０に出力される。
【００２０】
そして、ＤＴＭＦトーン生成部１２０は、上記コードデータに基づいて、ＤＴＭＦトーン信号を生成し、これをＡ／Ｄ変換部１３０およびアナログ無線機１５０に出力する。
【００２１】
Ａ／Ｄ変換部１３０に出力されたＤＴＭＦトーン信号は、Ａ／Ｄ変換部１３０にてディジタルデータに変換された後、ディジタル無線機１４０に出力される。そして、上記ディジタルデータはディジタル無線機１４０によってディジタル無線通信により子局３００に向けて送信される。
一方、アナログ無線機１５０に出力されたＤＴＭＦトーン信号は、アナログ無線機２１０によってアナログ無線通信により子局２００に向けて送信する。
【００２２】
これに対して、子局２００では、親局１００から送信されたアナログ無線信号をアナログ無線機２１０が受信して復調し、これにより得た文字情報を表示装置２２０に表示する。
【００２３】
一方、子局３００では、親局１００から送信されたディジタル無線信号をディジタル無線機３１０が受信して復調し、これにより得た文字情報を表示装置３２０に表示する。
【００２４】
以上のように、上記構成の防災行政無線システムでは、入力部１１０から入力された文字情報に応じたＤＴＭＦトーン信号をＤＴＭＦトーン生成部１２０にて生成し、アナログ無線通信を行う子局２００に対しては、上記ＤＴＭＦトーン信号をアナログ無線機１５０により無線送信し、一方、ディジタル無線通信を行う子局３００に対しては、ＤＴＭＦトーン信号をＡ／Ｄ変換部１３０によりディジタルデータに変換した後、アナログ無線機１５０により無線送信するようにしている。
【００２５】
したがって、上記構成の防災行政無線システムによれば、アナログ無線送信もディジタル無線送信もＤＴＭＦトーン信号に基づいて行えるので、アナログ方式の子局２００にもディジタル方式の子局３００に対しても、ほぼ同時に送信を行うことができる。
【００２６】
尚、この発明は上記実施の形態に限定されるものではない。
その他、この発明の要旨を逸脱しない範囲で種々の変形を施しても同様に実施可能であることはいうまでもない。
【００２７】
【発明の効果】
以上述べたように、この発明では、文字情報に応じたトーン信号を生成し、これをアナログ変調して無線送信するとともに、上記トーン信号をディジタルデータに変換し、これをディジタル変調して無線送信するようにしている。
【００２８】
したがって、この発明によれば、アナログ無線送信もディジタル無線送信もトーン信号に基づいて行えるので、アナログ方式の子局とディジタル方式の子局に対して、ほぼ同時に送信を行うことが可能な文字情報伝送装置および文字情報伝送システムを提供できる。
【図面の簡単な説明】
【図１】この発明に係わる防災行政無線システムの一実施形態の構成を示す回路ブロック図。
【符号の説明】
１００…親局、１１０…入力部、１２０…ＤＴＭＦトーン生成部、１３０…Ａ／Ｄ変換部、１４０…ディジタル無線機、１５０…アナログ無線機、２００，３００…子局、２１０…アナログ無線機、２２０…表示装置、３１０…ディジタル無線機、３２０…表示装置。
【図１】
2004312258.tif 000003